(57)【要約】【課題】顔の視覚的うるおい感を高精度に評価することができるうるおい感評価装置、うるおい感評価方法およびうるおい感評価プログラムを提供する。【解決手段】画像入力部１が被験者の顔Ｆを正面から撮影した撮影画像を入力し、画像入力部１に入力された撮影画像から明るさ・色指標算出部１０が肌の明るさ、赤みおよび黄みを含む明るさ・色成分の値を求め、明るさ・色成分の値に基づいて明るさ・色指標を算出し、画像入力部１に入力された撮影画像から形状指標算出部１１が肌の凹凸部分を検出して、凹凸部分の存在量に基づいて形状指標を算出し、うるおい感評価部５が明るさ・色指標と形状指標に基づいて被験者の顔Ｆの視覚的うるおい感を評価する。【選択図】図１
2015154886.tif 000002
【特許請求の範囲】
【請求項１】
被験者の顔を撮影した撮影画像を入力する画像入力部と、
前記画像入力部に入力された前記撮影画像から肌の明るさ、赤みおよび黄みを含む明るさ・色成分の値を求め、前記明るさ・色成分の値に基づいて明るさ・色指標を算出する明るさ・色指標算出部と、
前記画像入力部に入力された前記撮影画像から肌の凹凸部分を検出し、前記凹凸部分の存在量に基づいて形状指標を算出する形状指標算出部と、
前記明るさ・色指標と前記形状指標に基づいて前記被験者の顔の視覚的うるおい感を評価するうるおい感評価部と
を有するうるおい感評価装置。
【請求項２】
前記明るさ・色指標算出部は、肌の明るさを算出する明るさ算出部と、肌におけるくすみ部分の存在量を算出するくすみ算出部と、肌におけるシミ部分の存在量を算出するシミ算出部と、肌における色むら部分の存在量を算出する色むら算出部とを有し、
前記形状指標算出部は、肌におけるシワ部分の存在量を算出するシワ算出部と、肌における毛穴部分の存在量を算出する毛穴算出部と、耳から口にわたる頬輪郭形状に生じた窪み量を算出する輪郭窪み量算出部とを有する請求項１に記載のうるおい感評価装置。
【請求項３】
前記明るさ算出部は、前記撮影画像に第１の評価領域を設定して、前記第１の評価領域における明るさの平均値を前記肌の明るさとして算出し、
前記くすみ算出部は、前記撮影画像に第２の評価領域を設定して、明るさの値、赤みの値および黄みの値に基づいて前記第２の評価領域から前記くすみ部分を検出し、前記くすみ部分の総面積、前記第２の評価領域に対する前記くすみ部分の面積率または前記くすみ部分の濃淡を前記くすみ部分の存在量として算出し、
前記シミ算出部は、前記撮影画像に第３の評価領域を設定して、明るさ成分の値または色成分の値が局所的に変化する前記シミ部分を大きさに基づいて前記第３の評価領域から検出し、前記シミ部分の総面積、前記第３の評価領域に対する前記シミ部分の面積率、前記シミ部分の濃淡または前記第３の評価領域における前記シミ部分の個数を前記シミ部分の存在量として算出し、
前記色むら算出部は、前記撮影画像に第４の評価領域を設定して、明るさ成分の値または色成分の値が局所的に変化し且つ前記シミ部分より大きい前記色むら部分を前記第４の評価領域から検出し、前記色むら部分の総面積、前記第４の評価領域に対する前記色むら部分の面積率、前記色むら部分の濃淡または前記第４の評価領域における前記色むら部分の個数を前記色むら部分の存在量として算出する請求項２に記載のうるおい感評価装置。
【請求項４】
前記シワ算出部は、前記撮影画像において小鼻から口角に延びる第５の評価領域を設定して、前記第５の評価領域において明るさが低下する前記シワ部分を検出し、前記シワ部分の総面積、前記第５の評価領域に対する前記シワ部分の面積率、前記シワ部分の濃淡または前記シワ部分の長さを前記シワ部分の存在量として算出し、
前記毛穴算出部は、前記撮影画像に第６の評価領域を設定して、明るさ成分の値または色成分の値が局所的に変化し且つ前記シミ部分より小さい前記毛穴部分を前記第６の評価領域から検出し、前記毛穴部分の総面積、前記第６の評価領域に対する前記毛穴部分の面積率、前記毛穴部分の濃淡または前記第６の評価領域における前記毛穴部分の個数を前記毛穴部分の存在量として算出し、
前記輪郭窪み量算出部は、前記撮影画像において前記頬輪郭形状を検出し、前記頬輪郭形状において最も外側位置する部分から下方に向かって直線を引き、前記直線から前記頬輪郭形状までの距離を前記窪み量として算出する請求項２または３に記載のうるおい感評価装置。
【請求項５】
前記うるおい感評価部は、前記明るさ・色成分の値と前記凹凸部分の存在量がそれぞれ異なる被験者の顔を目視評価することにより予め求められた視覚的うるおい感の基準値に対する前記明るさ・色指標と前記形状指標の線形和に基づいて前記視覚的うるおい感を評価する請求項１〜４のいずれか一項に記載のうるおい感評価装置。
【請求項６】
前記基準値に対する前記明るさ・色指標と前記形状指標の線形和を格納するデータベースをさらに備え、
前記うるおい感評価部は、前記明るさ・色指標算出部で算出された前記明るさ・色指標の値と前記形状指標算出部で算出された前記形状指標の値とに基づいて前記データベースを参照することにより前記視覚的うるおい感の評価値を求める請求項５に記載のうるおい感評価装置。
【請求項７】
被験者の顔を撮影した撮影画像を入力し、
前記撮影画像から肌の明るさ、赤みおよび黄みを含む明るさ・色成分の値を求め、前記明るさ・色成分の値に基づいて明るさ・色指標を算出し、
前記撮影画像から肌の凹凸部分を検出し、前記凹凸部分の存在量に基づいて形状指標を算出し、
前記明るさ・色指標と前記形状指標に基づいて前記被験者の顔の視覚的うるおい感を評価するうるおい感評価方法。
【請求項８】
被験者の顔を撮影した撮影画像を入力するステップと、
前記撮影画像から肌の明るさ、赤みおよび黄みを含む明るさ・色成分の値を求め、前記明るさ・色成分の値に基づいて明るさ・色指標を算出するステップと、
前記撮影画像から肌の凹凸部分を検出し、前記凹凸部分の存在量に基づいて形状指標を算出するステップと、
前記明るさ・色指標と前記形状指標に基づいて前記被験者の顔の視覚的うるおい感を評価するステップとをコンピュータに実行させるためのうるおい感評価プログラム。
【発明の詳細な説明】
【技術分野】
【０００１】
この発明は、うるおい感評価装置、うるおい感評価方法およびうるおい感評価プログラムに係り、特に、被験者の顔を撮影した撮影画像に基づいてうるおい感を評価するうるおい感評価装置、うるおい感評価方法およびうるおい感評価プログラムに関する。
【背景技術】
【０００２】
近年、美容分野において、肌のうるおい感を評価する様々な方法が提案されている。一般的に、うるおい感のある肌とは、水分を含んでいるように見えるみずみずしい肌を示すが、単に肌の水分量などを測定して肌のうるおい感を評価しても、実際に観察者が肌を見て評価した官能評価との間に高い相関を得ることができなかった。そこで、官能評価との相関が高い評価方法が求められている。
【０００３】
このような、うるおい感の評価方法としては、例えば、特許文献１に開示されているように、ヒトの皮膚の表面における、平均摩擦係数及び／又は平均摩擦係数の変動係数と、皮膚の状態を表す官能指標とを関連付けて皮膚のうるおい感を評価する、皮膚の状態の評価方法が提案されている。
【先行技術文献】
【特許文献】
【０００４】
【特許文献１】特開２００３−０２４２８２号公報
【発明の概要】
【発明が解決しようとする課題】
【０００５】
しかしながら、特許文献１の評価方法は、肌の部分的な物理特性に基づいてうるおい感を評価するものであり、肌を部分的に観察する官能評価に対しては高い相関が得られるものの肌全体を見たときのうるおい感（視覚的うるおい感）を評価する官能評価に対しては高い相関が得られなかった。実際に肌を見てうるおい感を評価するときには、肌全体を見て視覚的うるおい感を評価しており、実際に肌を見たときのうるおい感の感覚と大きく異なる評価結果となっていた。特に、顔は、位置によって肌の状態が複雑に変化しており、一部分だけの評価または１種類だけの物理特性から、実際に肌を見たときのうるおい感の感覚と相関が高い評価結果を得ることは困難である。
【０００６】
この発明は、このような従来の問題点を解消するためになされたもので、顔の視覚的うるおい感を高精度に評価することができるうるおい感評価装置、うるおい感評価方法およびうるおい感評価プログラムを提供することを目的とする。
【課題を解決するための手段】
【０００７】
この発明に係るうるおい感評価装置は、被験者の顔を正面から撮影した撮影画像を入力する画像入力部と、画像入力部に入力された撮影画像から肌の明るさ、赤みおよび黄みを含む明るさ・色成分の値を求め、明るさ・色成分の値に基づいて明るさ・色指標を算出する明るさ・色指標算出部と、画像入力部に入力された撮影画像から肌の凹凸部分を検出し、凹凸部分の存在量に基づいて形状指標を算出する形状指標算出部と、明るさ・色指標と形状指標に基づいて被験者の顔の視覚的うるおい感を評価するうるおい感評価部とを有するものである。
【０００８】
ここで、明るさ・色指標算出部は、肌の明るさを算出する明るさ算出部と、肌におけるくすみ部分の存在量を算出するくすみ算出部と、肌におけるシミ部分の存在量を算出するシミ算出部と、肌における色むら部分の存在量を算出する色むら算出部とを有し、形状指標算出部は、肌におけるシワ部分の存在量を算出するシワ算出部と、肌における毛穴部分の存在量を算出する毛穴算出部と、耳から口にわたる頬輪郭形状に生じた窪み量を算出する輪郭窪み量算出部とを有することが好ましい。
【０００９】
また、明るさ算出部は、撮影画像に第１の評価領域を設定して、第１の評価領域における明るさの平均値を肌の明るさとして算出し、くすみ算出部は、撮影画像に第２の評価領域を設定して、明るさの値、赤みの値および黄みの値に基づいて第２の評価領域からくすみ部分を検出し、くすみ部分の総面積、第２の評価領域に対するくすみ部分の面積率またはくすみ部分の濃淡をくすみ部分の存在量として算出し、シミ算出部は、撮影画像に第３の評価領域を設定して、明るさ成分の値または色成分の値が局所的に変化するシミ部分を大きさに基づいて第３の評価領域から検出し、シミ部分の総面積、第３の評価領域に対するシミ部分の面積率、シミ部分の濃淡または第３の評価領域におけるシミ部分の個数をシミ部分の存在量として算出し、色むら算出部は、撮影画像に第４の評価領域を設定して、明るさ成分の値または色成分の値が局所的に変化し且つシミ部分より大きい色むら部分を第４の評価領域から検出し、色むら部分の総面積、第４の評価領域に対する色むら部分の面積率、色むら部分の濃淡または第４の評価領域における色むら部分の個数を色むら部分の存在量として算出することが好ましい。
【００１０】
また、シワ算出部は、撮影画像において小鼻から口角に延びる第５の評価領域を設定して、第５の評価領域において明るさが低下するシワ部分を検出し、シワ部分の総面積、第５の評価領域に対するシワ部分の面積率、シワ部分の濃淡またはシワ部分の長さをシワ部分の存在量として算出し、毛穴算出部は、撮影画像に第６の評価領域を設定して、明るさ成分の値または色成分の値が局所的に変化し且つシミ部分より小さい毛穴部分を第６の評価領域から検出し、毛穴部分の総面積、第６の評価領域に対する毛穴部分の面積率、毛穴部分の濃淡または第６の評価領域における毛穴部分の個数を毛穴部分の存在量として算出し、輪郭窪み量算出部は、撮影画像において頬輪郭形状を検出し、頬輪郭形状において最も外側位置する部分から下方に向かって直線を引き、直線から頬輪郭形状までの距離を窪み量として算出することが好ましい。
【００１１】
また、うるおい感評価部は、明るさ・色成分の値と凹凸部分の存在量がそれぞれ異なる被験者の顔を目視評価することにより予め求められた視覚的うるおい感の基準値（目視評価値）に相当する、明るさ・色指標と形状指標の線形和に基づいた視覚的うるおい感を評価することができる。
また、基準値に対する明るさ・色指標と形状指標の線形和を算出するための各係数を格納するデータベースをさらに備え、うるおい感評価部は、明るさ・色指標算出部で算出された明るさ・色指標の値と形状指標算出部で算出された形状指標の値とに基づいてデータベースを参照することにより視覚的うるおい感の評価値を求めることが好ましい。
【００１２】
この発明に係るうるおい感評価方法は、被験者の顔を撮影した撮影画像を入力し、撮影画像から肌の明るさ、赤みおよび黄みを含む明るさ・色成分の値を求め、明るさ・色成分の値に基づいて明るさ・色指標を算出し、撮影画像から肌の凹凸部分を検出し、凹凸部分の存在量に基づいて形状指標を算出し、明るさ・色指標と形状指標に基づいて被験者の顔の視覚的うるおい感を評価するものである。
【００１３】
この発明に係るうるおい感評価プログラムは、被験者の顔を撮影した撮影画像を入力するステップと、撮影画像から肌の明るさ、赤みおよび黄みを含む明るさ・色成分の値を求め、明るさ・色成分の値に基づいて明るさ・色指標を算出するステップと、撮影画像から肌の凹凸部分を検出し、凹凸部分の存在量に基づいて形状指標を算出するステップと、明るさ・色指標と形状指標に基づいて被験者の顔の視覚的うるおい感を評価するステップとをコンピュータに実行させるものである。
【発明の効果】
【００１４】
この発明によれば、明るさ・色成分の値に基づいて算出された明るさ・色指標と凹凸部分の存在量に基づいて算出された形状指標とに基づいて被験者の顔の視覚的うるおい感を評価するので、顔の視覚的うるおい感を高精度に評価することが可能となる。
【図面の簡単な説明】
【００１５】
【図１】この発明に係るうるおい感評価装置の構成を示すブロック図である。
【図２】明るさ・色指標算出部の構成を示すブロック図である。
【図３】形状指標算出部の構成を示すブロック図である。
【図４】明るさ算出部において被験者の顔に設定される評価領域を示す図である。
【図５】くすみ算出部において被験者の顔に設定される評価領域を示す図である。
【図６】シワ算出部において被験者の顔に設定される評価領域を示す図である。
【図７】輪郭窪み量算出部において被験者の頬輪郭形状の窪み量を算出する様子を示す図である。
【図８】輪郭窪み量算出部において検出された被験者の頬輪郭形状を示す図である。
【図９】線形判別分析を用いてくすみ部分を検出する方法を示す図である。
【図１０】線形判別分析を用いてくすみ部分を検出する他の方法を示す図である。
【図１１】視覚的うるおい感を評価するための総合指標の値と官能評価値との相関を求めた図である。
【発明を実施するための形態】
【００１６】
以下、この発明の実施の形態を添付図面に基づいて説明する。
図１に、この発明の実施の形態に係るうるおい感評価装置の構成を示す。うるおい感評価装置は、被験者の顔Ｆを正面からカメラＣで撮影した撮影画像を用いて被験者の顔Ｆの視覚的うるおい感を評価するもので、カメラＣに接続される画像入力部１を備え、この画像入力部１に前処理部２、色空間変換部３、指標算出部４、うるおい感評価部５および表示部６が順次接続されている。また、うるおい感評価部５には、基準値データベース７が接続されている。さらに、色空間変換部３、指標算出部４およびうるおい感評価部５には制御部８が接続され、この制御部８に操作部９が接続されている。
【００１７】
画像入力部１は、被験者の顔Ｆを撮影したカメラＣから撮影画像を入力する。
ここで、撮影画像は、被験者の顔Ｆの両方の耳が写るように被験者の顔Ｆを正面から撮影したものが好ましい。また、カメラＣから入力される撮影画像は、ＲＧＢ色空間を有するものとする。カメラＣは、被験者の顔Ｆを撮影できるものであればよく、例えば、デジタルカメラおよびＣＣＤカメラなどを用いることができ、スマートフォンなどの携帯電話で撮影した撮影画像を用いることもできる。
前処理部２は、画像入力部１から入力される撮影画像に対して、光量補正およびノイズ除去などの前処理を施す。
【００１８】
色空間変換部３は、前処理部２から入力される撮影画像の色空間を変換して色空間変換画像を生成する。色空間変換画像としては、例えば、Ｌ＊ａ＊ｂ＊色空間、ＬＣＨ色空間、またはＹＣＣ色空間などに変換した画像を用いることができる。Ｌ＊ａ＊ｂ＊色空間に変換する場合には、計算光源としてＤ６５光源を用いることができる。そして、色空間変換部３は、生成した色空間変換画像を明るさ成分（輝度成分）と色成分に分けて明るさ成分画像と色成分画像をそれぞれ生成する。具体的には、Ｌ＊ａ＊ｂ＊色空間を有する色空間変換画像であれば、明るさ成分はＬ＊成分を示し、色成分はａ＊成分（赤と緑に対応した補色成分）、ｂ＊成分（黄色と青に対応した補色成分）、Ｃ＊成分（彩度成分）およびＨｕｅ成分（色相成分）などを示すものである。
【００１９】
指標算出部４は、色空間変換部３にそれぞれ接続される明るさ・色指標算出部１０と形状指標算出部１１とを有する。
明るさ・色指標算出部１０は、色空間変換部３から明るさ成分画像と色成分画像がそれぞれ入力され、明るさ成分画像および色成分画像から肌の明るさ、赤みおよび黄みを含む明るさ・色成分の値を求め、この明るさ・色成分の値に基づいて視覚的うるおい感を評価するための明るさ・色指標を算出する。
形状指標算出部１１は、色空間変換部３から明るさ成分画像、色成分画像および画像入力部１に入力された撮影画像がそれぞれ入力され、明るさ成分画像、色成分画像および撮影画像から肌の凹凸部分を検出し、この凹凸部分の存在量に基づいて視覚的うるおい感を評価するための形状指標を算出する。
明るさ・色指標算出部１０および形状指標算出部１１は、それぞれ算出した明るさ・色指標および形状指標をうるおい感評価部５に出力する。
【００２０】
基準値データベース７は、明るさ・色成分の値と凹凸部分の存在量がそれぞれ異なる複数の被験者の顔を目視評価することにより予め求められた、明るさ・色指標の値と、形状指標の値と、視覚的うるおい感の基準値との関係を格納する。例えば、明るさ・色指標の値と形状指標の値の線形和を求めて、この線形和に対する視覚的うるおい感の基準値を示す関数を格納することができる。
【００２１】
うるおい感評価部５は、明るさ・色指標と形状指標に基づいて被験者の顔の視覚的うるおい感を評価する。
具体的には、明るさ・色指標算出部１０で算出された明るさ・色指標の値と、形状指標算出部１１で算出された形状指標の値とに基づいて、基準値データベース７を参照することにより視覚的うるおい感の評価値を求める。例えば、うるおい感評価部５は、基準値データベース７に格納された明るさ・色指標の値と形状指標の値の線形和に対する視覚的うるおい感の基準値を示す関数に基づいて、視覚的うるおい感の評価を求めることができる。
ここで、うるおい感とは、張りおよび透明感があり且つ水分を含んでいるように見える、いわゆるみずみずしい肌を示し、うるおい感評価部５は、被験者の顔Ｆ全体を見たときに感じるうるおい感を示す視覚的うるおい感について評価するものである。
【００２２】
表示部６は、例えば、ＬＣＤ等のディスプレイ装置を含んでおり、うるおい感評価部５で評価された視覚的うるおい感の評価結果を表示する。
操作部９は、操作者が情報の入力操作を行うためのもので、キーボード、マウス、トラックボール、タッチパネル等から形成することができる。
制御部８は、操作者により操作部９から入力された各種の指令信号等に基づいて、うるおい感評価装置内の各部の制御を行うものである。
【００２３】
なお、色空間変換部３、指標算出部４、うるおい感評価部５および制御部８は、ＣＰＵと、ＣＰＵに各種の処理を行わせるための動作プログラムから構成されるが、それらをデジタル回路で構成してもよい。また、ＣＰＵにバスなどの信号線を介してメモリを接続することができ、例えば、画像入力部１に入力された撮影画像、色空間変換部３で生成された明るさ成分画像と色成分画像、指標算出部４で生成された画像、およびうるおい感評価部５で算出された視覚的うるおい感の評価結果などをメモリにそれぞれ格納し、このメモリに格納された画像および視覚的うるおい感の評価結果を制御部８の制御の下で表示部６に表示させることができる。
【００２４】
次に、指標算出部４の明るさ・色指標算出部１０について詳細に説明する。
図２に示すように、明るさ・色指標算出部１０は、色空間変換部３とうるおい感評価部５にそれぞれ接続された明るさ算出部１２、くすみ算出部１３、シミ算出部１４および色むら算出部１５を有する。
【００２５】
明るさ算出部１２は、明るさ・色指標として肌の明るさを算出するものである。具体的には、明るさ算出部１２は、色空間変換部３で生成された明るさ成分画像に対して評価領域Ｒ１を設定する。評価領域Ｒ１は、例えば被験者の顔Ｆ全体または頬部分に設定することができる。続いて、明るさ算出部１２は、明るさ・色指標として、例えば、評価領域Ｒ１における明るさ成分の平均値を算出する。
【００２６】
くすみ算出部１３は、明るさ・色指標として肌におけるくすみ部分の存在量を算出するものである。ここで、くすみ部分とは、顔全体、目の周りまたは頬などに生じ、具体的には、肌の赤みが減少して黄みが増すと共に肌のつやまたは透明感の減少および皮膚表面の凹凸による影などにより明度が低下して暗く見える状態で、その境界が不明瞭であるものを示す。
具体的には、くすみ算出部１３は、色空間変換部３で生成された明るさ成分画像および色成分画像に対して、評価領域Ｒ２を設定する。評価領域Ｒ２は、茶くすみおよび黄くすみが共に生じ易い目の周り、黄くすみが生じやすい口の周りに設定するのが好ましい。続いて、くすみ算出部１３は、明るさの値、赤みの値および黄みの値に基づいて評価領域Ｒ２からくすみ部分を検出し、例えば、評価領域Ｒ２におけるくすみ部分の総面積、評価領域Ｒ２に対するくすみ部分の面積率または明るさの強度に基づくくすみ部分の濃淡を明るさ・色指標として算出する。
【００２７】
シミ算出部１４は、明るさ・色指標として肌におけるシミ部分の存在量を算出するものである。ここで、シミ部分とは、明るさ成分の値または色成分の値が局所的に変化するものであり、例えば、大きさ（最大幅または直径）が２ｍｍより大きく５０ｍｍより小さいものを示す。
具体的には、シミ算出部１４は、色空間変換部３で生成された明るさ成分画像および色成分画像に対して、評価領域Ｒ３を設定する。評価領域Ｒ３は、例えば被験者の顔Ｆ全体または頬部分に設定することができる。続いて、シミ算出部１４は、明るさ成分の値または色成分の値が局所的に変化するシミ部分を大きさに基づいて評価領域Ｒ３から検出し、例えば、評価領域Ｒ３におけるシミ部分の総面積、評価領域Ｒ３に対するシミ部分の面積率、明るさの強度に基づくシミ部分の濃淡、または評価領域Ｒ３におけるシミ部分の個数を明るさ・色指標として算出する。
【００２８】
色むら算出部１５は、明るさ・色指標として肌における色むら部分の存在量を算出するものである。ここで、色むら部分とは、明るさ成分の値または色成分の値が局所的に変化し且つその大きさがシミ部分より大きく、さらに境界が不明瞭に分布している状態のものを示す。
具体的には、色むら算出部１５は、色空間変換部３で生成された明るさ成分画像および色成分画像に対して、評価領域Ｒ４を設定する。評価領域Ｒ４は、例えば被験者の顔Ｆ全体または頬部分に設定することができる。続いて、色むら算出部１５は、明るさ成分の値または色成分の値が局所的に変化し且つその大きさがシミ部分より大きい色むら部分を評価領域Ｒ４から検出し、例えば、評価領域Ｒ４における色むら部分の総面積、評価領域Ｒ４に対する色むら部分の面積率、明るさの強度に基づく色むら部分の濃淡、または評価領域Ｒ４における色むら部分の個数を明るさ・色指標として算出する。
【００２９】
次に、指標算出部４の形状指標算出部１１について詳細に説明する。
図３に示すように、形状指標算出部１１は、色空間変換部３とうるおい感評価部５にそれぞれ接続されたシワ算出部１６、毛穴算出部１７および輪郭窪み量算出部１８を有する。
【００３０】
シワ算出部１６は、形状指標として肌におけるシワ部分の存在量を算出するものである。ここで、シワ部分とは、明るさ成分の値または色成分の値が局所的に変化し且つ所定の方向に細長く延びる形状を有するものを示す。
具体的には、シワ算出部１６は、色空間変換部３で生成された明るさ成分画像に対して、小鼻から口角に延びる評価領域Ｒ５を設定する。続いて、シワ算出部１６は、評価領域Ｒ５において明るさが低下するシワ部分を検出し、例えば、評価領域Ｒ５におけるシワ部分の総面積、評価領域Ｒ５に対するシワ部分の面積率、明るさの強度に基づくシワ部分の濃淡、または評価領域Ｒ５におけるシワ部分の長さを形状指標として算出する。
【００３１】
毛穴算出部１７は、形状指標として肌における毛穴部分の存在量を算出するものである。ここで、毛穴部分とは、明るさ成分の値または色成分の値が局所的に変化し且つその大きさがシミ部分より小さいものを示す。
具体的には、毛穴算出部１７は、色空間変換部３で生成された明るさ成分画像および色成分画像に対して、評価領域Ｒ６を設定する。評価領域Ｒ６は、例えば被験者の顔Ｆ全体または頬部分に設定することができる。続いて、毛穴算出部１７は、明るさ成分の値または色成分の値が局所的に変化し且つその大きさがシミ部分より小さい毛穴部分を評価領域Ｒ６から検出し、例えば、評価領域Ｒ６における毛穴部分の総面積、評価領域Ｒ６に対する毛穴部分の面積率、明るさの強度に基づく毛穴部分の濃淡、または評価領域Ｒ６における毛穴部分の個数を形状指標として算出する。
【００３２】
輪郭窪み量算出部１８は、画像入力部１に入力された撮影画像において、被験者の顔の耳から口にわたる頬輪郭形状を検出し、頬輪郭形状に生じた窪み量を形状指標として算出する。
【００３３】
次に、この実施の形態の動作について説明する。
まず、被験者の顔ＦをカメラＣで撮影して得られた撮影画像が、図１に示すように、カメラＣからうるおい感評価装置の画像入力部１を介して前処理部２に入力される。撮影画像は、光源補正およびノイズ除去などの前処理が施された後、前処理部２から色空間変換部３に出力され、その撮影画像の色空間が色空間変換部３により、例えばＬ＊ａ＊ｂ＊色空間に変換されて色空間変換画像が生成される。そして、色空間変換部３は、色空間変換画像から明るさ成分と色成分を抽出し、明るさ成分画像と色成分画像をそれぞれ生成する。例えば、明るさ成分画像としてＬ＊成分画像を生成することができ、色成分画像としてＣ＊成分画像、ａ＊成分画像およびｂ＊成分画像を生成することができる。
【００３４】
色空間変換部３は、生成した明るさ成分画像と色成分画像を明るさ・色指標算出部１０の明るさ算出部１２、くすみ算出部１３、シミ算出部１４および色むら算出部１５にそれぞれ出力する。
【００３５】
明るさ算出部１２は、色空間変換部３から入力されたＬ＊成分画像に対して、図４に示すように、被験者の顔Ｆの頬部分に評価領域Ｒ１を設定する。続いて、明るさ算出部１２は、Ｌ＊成分画像に設定された評価領域Ｒ１についてＬ＊成分の強度の平均値を求める。
【００３６】
一般的に、若い人の肌は色が白くて明るいのに対し、加齢に伴って肌が全体的に黄色みを帯びて暗くなり、肌の視覚的うるおい感が全体的に減少していくことが知られている。このため、明るさ算出部１２で求められる評価領域Ｒ１のＬ＊成分の値は、加齢に伴う視覚的うるおい感の変化を表す指標となるものと考えられる。具体的には、Ｌ＊成分の値が高い（明るい）ほど、被験者の顔Ｆの視覚的うるおい感は高く感じられるものである。そこで、評価領域Ｒ１におけるＬ＊成分の平均値を明るさ・色指標として明るさ算出部１２からうるおい感評価部５に出力する。
【００３７】
くすみ算出部１３は、色空間変換部３から入力されたＬ＊成分画像、ａ＊成分画像およびｂ＊成分画像に対して、被験者の顔Ｆに評価領域Ｒ２を設定し、設定された評価領域Ｒ２からくすみ部分を検出する。
具体的には、くすみ算出部１３は、被験者の顔Ｆにおいてくすみ部分が発生し易い領域に評価領域Ｒ２を設定すると共にくすみ部分が発生しにくい額領域に基準領域Ｒ２ａを設定する。評価領域Ｒ２は、例えば、図５に示すように、茶くすみおよび黄くすみが共に生じやすい目の周り、茶くすみが生じやすい小鼻の横、および黄くすみが生じやすい口の周りに設定することができる。また、基準領域Ｒ２ａは、眉間の上側に約１ｃｍ２程度の範囲で設定することができる。
【００３８】
くすみ算出部１３は、基準領域Ｒ２ａについて、Ｌ＊成分の平均値、ａ＊成分の平均値およびｂ＊成分の平均値を求める。そして、評価領域Ｒ２におけるＬ＊成分の値から基準領域Ｒ２ａにおけるＬ＊成分の平均値を減算したΔＬ＊成分画像を作成すると共に、評価領域Ｒ２におけるａ＊成分の値から基準領域Ｒ２ａにおけるａ＊成分の平均値を減算したΔａ＊成分画像を作成し、さらに評価領域Ｒ２におけるｂ＊成分の値から基準領域Ｒ２ａにおけるｂ＊成分の平均値を減算したΔｂ＊成分画像を作成する。
【００３９】
続いて、くすみ算出部１３は、予め設定された所定の閾値に基づいて、ΔＬ＊成分画像、Δａ＊成分画像およびΔｂ＊成分画像の評価領域Ｒ２からくすみ部分を検出する。例えば、茶くすみを検出する場合には、ΔＬ＊成分の値が−５未満で且つΔａ＊成分の値が２．５を超えるものをくすみ部分として検出し、黄くすみを検出する場合には、ΔＬ＊成分の値が−５未満で且つΔｂ＊成分の値が２．５を超えるものをくすみ部分として検出することができる。
そして、くすみ算出部１３は、例えば、評価領域Ｒ２において検出されたくすみ部分の総面積を明るさ・色指標として算出する。ここで、くすみ部分は、被験者の顔Ｆを全体的に見たときに暗い印象を与えるものであり、その総面積が小さいほど被験者の顔Ｆの視覚的うるおい感が高く感じられる。
くすみ算出部１３は、算出した明るさ・色指標をうるおい感評価部５に出力する。
【００４０】
シミ算出部１４は、色空間変換部３から入力された明るさ成分画像または色成分画像に対して評価領域Ｒ３を設定し、評価領域Ｒ３からシミ部分を検出する。例えば、Ｌ＊成分画像に対して被験者の顔Ｆの頬部分に評価領域Ｒ３を設定することができる。
【００４１】
ここで、シミ部分は、例えば、Ｄｏｇ画像（Difference of Gaussian画像）を生成することにより検出することができる。具体的には、Ｌ＊成分画像からガウシアンの大きさが異なるＤｏｇ画像を生成する。一般的に、シミは２ｍｍ〜１０ｍｍの大きさで且つ０．０５ｃｙｃｌｅ／ｍｍ〜０．２５ｃｙｃｌｅ／ｍｍの周波数を有する。そこで、シミ算出部１４は、シミの周波数帯域を有する成分が抽出されるようにＤｏｇ画像処理を行う。さらに、このＤｏｇ画像処理の際に、閾値処理した２値化画像から各成分の形状を算出し、丸い形状で且つその円形度（４π×面積）／周囲長２が２ｍｍ〜１０ｍｍの成分をシミ部分として検出することができる。
また、シミ部分は、上述したＤｏｇ画像処理を行った後に、さらに赤みの値および黄みの値がくすみ部分で設定された所定の閾値より小さい成分を抽出することで検出してもよい。
【００４２】
なお、Ｌ＊成分画像だけでなく、ａ＊成分画像およびｂ＊成分画像などの色成分画像を用いてＤｏｇ画像を生成し、上記と同様にして、シミ部分を検出することもできる。また、ＲＧＢ色空間のＢチャネルを用いてＤｏｇ画像を生成して、シミ部分を検出することもできる。
また、シミ算出部１４は、Ｄｏｇ画像を生成することなく、例えば、Ｌ＊成分画像から所定の閾値以下の強度を有する成分を抽出し、抽出された成分について主成分分析および独立成分分析などを実施することによりシミ部分を検出することもできる。
【００４３】
そして、シミ算出部１４は、例えば、評価領域Ｒ３において検出されたシミ部分の総面積を明るさ・色指標として算出する。ここで、シミ部分は、被験者の顔Ｆを全体的に見たときに暗い印象を与えるものであり、その総面積が小さいほど被験者の顔Ｆの視覚的うるおい感が高く感じられる。
シミ算出部１４は、算出した明るさ・色指標をうるおい感評価部５に出力する。
【００４４】
色むら算出部１５は、色空間変換部３から入力された明るさ成分画像または色成分画像に対して評価領域Ｒ４を設定し、評価領域Ｒ４から色むら部分を検出する。例えば、Ｌ＊成分画像に対して被験者の顔Ｆの頬部分に評価領域Ｒ４を設定することができる。
【００４５】
ここで、色むら部分は、シミ部分の検出と同様にして、Ｄｏｇ画像を生成することにより検出することができる。すなわち、Ｌ＊成分画像からガウシアンの大きさが異なるＤｏｇ画像を生成する。一般的に、色むらは、約１０ｍｍ以上の大きさで且つ０．０５ｃｙｃｌｅ／ｍｍ以上の周波数を有する。そこで、色むら算出部１５は、色むらの周波数帯域を有する成分が抽出されるようにＤｏｇ画像処理を行う。さらに、このＤｏｇ画像処理の際に、閾値処理した２値化画像から各成分の形状を算出し、丸い形状で且つその円形度（４π×面積）／周囲長２が約１０ｍｍ以上の成分を色むら部分として検出することができる。
また、色むら部分は、上述したＤｏｇ画像処理を行った後に、さらに赤みの値および黄みの値がくすみ部分で設定された所定の閾値より小さい成分を抽出することで検出してもよい。
【００４６】
なお、Ｌ＊成分画像だけでなく、ａ＊成分画像およびｂ＊成分画像などの色成分画像を用いてＤｏｇ画像を生成し、上記と同様にして、色むら部分を検出することもできる。また、ＲＧＢ色空間のＢチャネルを用いてＤｏｇ画像を生成して、色むら部分を検出することもできる。
【００４７】
そして、色むら算出部１５は、例えば、評価領域Ｒ４において検出された色むら部分の総面積を明るさ・色指標として算出する。ここで、色むら部分は、被験者の顔Ｆを全体的に見たときに暗い印象を与えるものであり、その総面積が小さいほど被験者の顔Ｆの視覚的うるおい感が高く感じられる。
色むら算出部１５は、算出した明るさ・色指標をうるおい感評価部５に出力する。
【００４８】
また、色空間変換部３は、生成した明るさ成分画像または色成分画像を形状指標算出部１１のシワ算出部１６および毛穴算出部１７に出力すると共に、画像入力部１に入力された撮影画像を輪郭窪み量算出部１８に出力する。
【００４９】
シワ算出部１６は、色空間変換部３から入力された明るさ成分画像または色成分画像に対して、図６に示すように、小鼻から口角に延びる評価領域Ｒ５を設定し、評価領域Ｒ５からシワ部分を検出する。また、シワ算出部１６は、評価領域Ｒ５の周辺に基準領域Ｒ５ａを設定し、基準領域Ｒ５ａにおけるＬ＊成分の平均値を求める。
続いて、シワ算出部１６は、評価領域Ｒ５におけるＬ＊成分の値から基準領域Ｒ５ａのＬ＊成分の平均値を減算したΔＬ＊成分画像を作成し、予め設定された所定の閾値に基づいてΔＬ＊成分画像の評価領域Ｒ５からシワ部分を検出する。例えば、評価領域Ｒ５においてΔＬ＊成分の値が１０未満となるものをシワ部分として検出することができる。
【００５０】
そして、シワ算出部１６は、例えば、評価領域Ｒ５において検出されたシワ部分の総面積を形状指標として算出する。ここで、評価領域Ｒ５において検出されるシワ部分は、いわゆるほうれい線であり、被験者の顔Ｆを全体的に見たときに、暗い影を生じる凹凸部分としての印象を与えるものであり、その総面積が小さいほど被験者の顔Ｆの視覚的うるおい感が高く感じられる。
シワ算出部１６は、算出した形状指標をうるおい感評価部５に出力する。
【００５１】
毛穴算出部１７は、色空間変換部３から入力された明るさ成分画像または色成分画像に対して評価領域Ｒ６を設定し、評価領域Ｒ６から毛穴部分を検出する。例えば、Ｌ＊成分画像に対して被験者の顔Ｆの頬部分に評価領域Ｒ６を設定することができる。
ここで、毛穴部分は、シミ部分を検出する場合と同様に、Ｄｏｇ画像を生成することにより検出することができる。すなわち、Ｌ＊成分画像からガウシアンの大きさが異なるＤｏｇ画像を生成する。一般的に、毛穴は０．５ｍｍ〜２ｍｍの大きさで且つ０．２５ｃｙｃｌｅ／ｍｍ〜１．０ｃｙｃｌｅ／ｍｍの周波数を有する。そこで、毛穴算出部１７は、毛穴の周波数帯域を有する成分が抽出されるようにＤｏｇ画像処理を行う。さらに、このＤｏｇ画像処理の際に、閾値処理した２値化画像から各成分の形状を算出し、丸い形状で且つその円形度（４π×面積）／周囲長２が０．５ｍｍ〜２ｍｍの成分を毛穴部分として検出することができる。
また、毛穴部分は、上述したＤｏｇ画像処理を行った後に、さらに赤みの値および黄みの値がくすみ部分で設定された所定の閾値より小さい成分を抽出することで検出してもよい。
【００５２】
なお、Ｌ＊成分画像だけでなく、ａ＊成分画像およびｂ＊成分画像などの色成分画像を用いてＤｏｇ画像を生成し、上記と同様にして、毛穴部分を検出することもできる。また、ＲＧＢ色空間のＢチャネルを用いてＤｏｇ画像を生成して、毛穴部分を検出することもできる。
【００５３】
そして、毛穴算出部１７は、例えば、評価領域Ｒ６において検出された毛穴部分の総面積を形状指標として算出する。ここで、毛穴部分は、被験者の顔Ｆを全体的に見たときに、暗い影を生じる凹凸部分としての印象を与えるものであり、その総面積が小さいほど被験者の顔Ｆの視覚的うるおい感が高く感じられる。
毛穴算出部１７は、算出した形状指標をうるおい感評価部５に出力する。
【００５４】
輪郭窪み量算出部１８は、色空間変換部３から入力された撮影画像において耳から口にわたる頬の輪郭形状を検出し、頬輪郭形状において最も外側位置する部分から下方に向かって直線を引いて、その直線から頬輪郭形状までの距離を輪郭形状の窪み量として算出する。
具体的には、輪郭窪み量算出部１８は、撮影画像において被験者の顔Ｆの輪郭を検出した後、図７（ａ）および（ｂ）に示すように、両耳の中心を通る水平線Ｌ１から口元を通る水平線Ｌ２まで一定間隔で複数の水平線を引いて、それぞれの水平線が輪郭と交差する交差点を検出する。これにより、水平線Ｌ１との交差点Ｐ１から水平線Ｌ２との交差点Ｐ２にわたる輪郭形状、すなわち耳から口にわたる頬の輪郭形状Ｃを検出することができる。
【００５５】
ここで、図７（ａ）は、視覚的うるおい感が高い被験者の頬の輪郭形状Ｃであり、図７（ｂ）は、視覚的うるおい感が低い被験者の頬の輪郭形状Ｃである。視覚的うるおい感が高い被験者の頬の輪郭形状Ｃに対して、視覚的うるおい感が低い被験者の頬の輪郭形状Ｃは、内側に窪んでいる。
実際に、視覚的うるおい感が高い被験者の頬の輪郭形状Ｃと視覚的うるおい感が低い被験者の頬の輪郭形状Ｃとを検出して比較したものを図８に示す。ここで、図８は、横軸を水平位置、縦軸を高さ位置として、各水平線が輪郭と交差する交差点をそれぞれプロットして頬の輪郭形状Ｃを示したものであり、視覚的うるおい感が高い被験者の頬の輪郭形状Ｃを「▲」で示し、視覚的うるおい感が低い被験者の頬の輪郭形状Ｃを「●」で示している。これから、視覚的うるおい感が高い被験者の頬の輪郭形状Ｃに対して、視覚的うるおい感が低い被験者の頬の輪郭形状Ｃが内側に窪んでいることがわかる。
【００５６】
一般的に、頬の輪郭形状Ｃは、加齢に伴って内側に窪む、いわゆる頬がこけることが知られている。この頬の輪郭形状Ｃの窪みが、被験者の顔Ｆを全体的に見たときに、暗い影を生じる凹凸部分としての印象を与え、視覚的うるおい感を低下させる要因となっていると考えられる。
【００５７】
そこで、輪郭窪み量算出部１８は、検出した頬の輪郭形状Ｃの窪み量を算出する。例えば、図７（ａ）および（ｂ）に示すように、水平線Ｌ１に対して直行する方向に、交差点Ｐ１から下方に向かって垂線Ｓを引き、この垂線Ｓから各交差点までの距離Ｄをそれぞれ算出する。そして、垂線Ｓから各交差点までの距離Ｄの総和を頬の輪郭形状Ｃの窪み量とすることができる。なお、口元から下側に位置する顎の輪郭形状は骨格などの影響が大きいため、加齢に伴う頬の窪みが確実に反映されるように、耳から口にわたる頬の輪郭形状Ｃに限定して窪み量を算出することが好ましい。
このように、頬の輪郭形状Ｃの窪みは、その窪み量が小さいほど被験者の顔Ｆの視覚的うるおい感が高く感じられるものである。
輪郭窪み量算出部１８は、算出した頬の輪郭形状Ｃの窪み量をうるおい感評価部５に出力する。
【００５８】
このようにして、明るさ・色指標算出部１０の明るさ算出部１２、くすみ算出部１３、シミ算出部１４および色むら算出部１５でそれぞれ算出された明るさ・色指標がうるおい感評価部５に入力されると共に、形状指標算出部１１のシワ算出部１６、毛穴算出部１７および輪郭窪み量算出部１８でそれぞれ算出された形状指標がうるおい感評価部５に入力される。
【００５９】
うるおい感評価部５は、入力された明るさ・色指標の値と形状指標の値とに基づいて、基準値データベース７を参照する。基準値データベース７には、予め官能評価を実施して得られた視覚的うるおい感の基準値が、明るさ・色指標の値と形状指標の値とを重回帰式などを用いて線形和した総合指標に対して格納されている。そこで、うるおい感評価部５は、基準値データベース７を参照して、指標算出部４から入力された明るさ・色指標の値と形状指標の値に応じた視覚的うるおい感の基準値を求め、この基準値に基づいて被験者の顔Ｆの視覚的うるおい感の評価を行う。
うるおい感評価部５で求められた視覚的うるおい感の評価結果は、表示部６に出力されて表示される。
【００６０】
本実施の形態によれば、被験者の顔Ｆ全体にわたる視覚的うるおい感の各物理特性を複合的に評価するため、被験者の顔Ｆを全体的に見たときの感覚に近い評価を行うことができ、視覚的うるおい感を高精度に評価することができる。
【００６１】
なお、上記のような視覚的うるおい感の評価は、入力手段、ＣＰＵおよびメモリなどから構成されるコンピュータをうるおい感評価プログラムにより機能させることで実行することができる。すなわち、うるおい感評価プログラムがコンピュータを機能させることにより、画像入力部１が、被験者の顔を撮影した撮影画像を取得し、取得された撮影画像に基づいて、ＣＰＵが、前処理部２、色空間変換部３、指標算出部４およびうるおい感評価部５を実行させて被験者の顔について視覚的うるおい感の評価を行う。
【００６２】
また、上記の実施の形態では、くすみ算出部１３は、それぞれΔＬ＊成分、Δａ＊成分およびΔｂ＊成分に対して予め設定された所定の閾値に基づいてくすみ部分を検出したが、くすみ部分を検出することができればよく、これに限られるものではない。
【００６３】
例えば、線形判別分析等の統計解析手法を用いてくすみ部分を検出することができる。図９に、基準領域Ｒ２ａにおける非くすみ部分、評価領域Ｒ２における茶くすみ部分、および評価領域Ｒ２における黄くすみ部分について、Δａ＊成分の値に対するΔＬ＊成分の値をプロットした結果を示す。ここで、非くすみ部分を「○」で、茶くすみ部分を「□」で、黄くすみ部分を「△」でそれぞれ示している。その結果、判別関数Ｎにより９５％程度の精度で、非くすみ部分と、茶くすみ部分並びに黄くすみ部分とを分離可能であることが分かった。このことから、線形判別分析を用いてくすみ部分を高精度に検出できることがわかる。
【００６４】
なお、図１０に、基準領域Ｒ２ａにおける非くすみ部分、評価領域Ｒ２における茶くすみ部分、および評価領域Ｒ２における黄くすみ部分について、Δｂ＊成分の値に対するΔＬ＊成分の値をプロットした結果を示す。ここで、非くすみ部分を「○」で、茶くすみ部分を「□」で、黄くすみ部分を「△」でそれぞれ示している。同様にして、線形判別分析を用いてくすみ部分を高精度に検出できることがわかる。
【００６５】
また、上記の実施の形態では、画像入力部１に接続されたカメラＣから撮影画像が入力されたが、撮影画像を入力することができればよく、これに限られるものではない。
例えば、撮影画像を保存したコンピュータからネットワークを介して画像入力部１に撮影画像を入力することもできる。うるおい感評価装置は、コンピュータから入力された撮影画像に基づいて視覚的うるおい感を評価して、その評価結果をサーバなどに格納する。これにより、ユーザは、サーバにアクセスすることで視覚的うるおい感の評価結果を閲覧、または、サーバからネットワークを介して視覚的うるおい感の評価結果を入手することができる。
【００６６】
実際に、うるおい感評価装置を用いて被験者の顔の視覚的うるおい感を評価した実施例を示す。
この実施例は、２０歳代から４０歳代の被験者に対して、上記のうるおい感評価装置を用いて視覚的うるおい感の評価を行うと共に、３名の観察者により被験者の顔Ｆを全体的に見たときの視覚的うるおい感の官能評価を行ったものである。
【００６７】
図１１に、うるおい感評価装置を用いて得られた明るさ・色指標と形状指標とを線形和して算出した総合指標の値を、官能評価値に対してプロットしたグラフを示す。ここで、官能評価値は、３名の観察者の官能評価により視覚的うるおい感をそれぞれ５段階で評価した平均値であり、値が５に近づくほど視覚的うるおい感があると評価されたものである。図１１に基づいて、総合指標の値と官能評価値との間の相関を求めた結果、相関係数Ｒ２は０．７９であった。
このことから、被験者の顔Ｆ全体にわたる視覚的うるおい感の各物理特性を複合的に評価することにより、被験者の顔Ｆを全体的に観察した官能評価との相関が非常に高くなり、視覚的うるおい感を高精度に評価することができることがわかる。
【符号の説明】
【００６８】
１  画像入力部、２  前処理部、３  色空間変換部、４  指標算出部、５  うるおい感評価部、６  表示部、７  基準値データベース、８  制御部、９  操作部、１０  明るさ・色指標算出部、１１  形状指標算出部、１２  明るさ算出部、１３  くすみ算出部、１４  シミ算出部、１５  色むら算出部、１６  シワ算出部、１７  毛穴算出部、１８  輪郭窪み量算出部、Ｒ１〜Ｒ６  評価領域、Ｒ２ａ  基準領域、Ｆ  顔、Ｃ  カメラ、Ｌ１，Ｌ２  水平線、Ｐ１，Ｐ２  交差点、Ｃ  頬の輪郭形状、Ｓ  垂線、Ｄ  垂線から交差点までの距離、Ｎ  判別関数。
【図１】
2015154886.tif 000003
【図２】
2015154886.tif 000004
【図３】
2015154886.tif 000005
【図６】
2015154886.tif 000006
【図７】
2015154886.tif 000007
【図８】
2015154886.tif 000008
【図９】
2015154886.tif 000009
【図１０】
2015154886.tif 000010
【図１１】
2015154886.tif 000011
【図４】
2015154886.tif 000012
【図５】
2015154886.tif 000013